(57)【要約】【課題】作業対象物である建物ユニット側に、作業用足場を連結するための追加の部材を要することなく、簡単な構成により建物ユニットに連結することができると共に、建物ユニットに連結された状態で移動可能な作業用足場を得る。【解決手段】作業用足場１０は、下面にキャスター５０を備え、作業者が乗ることが可能な足場本体４８と、足場本体４８の側面材５２に設けられ、建物ユニット１２の躯体フレーム３２の側面３８に形成された孔３８Ａに挿入されて孔３８Ａの周縁部３８Ｂに係合されることにより、足場本体４８を建物ユニット１２に連結させる連結部５４と、を備えている。【選択図】図１
2019157470.tif 000002
【特許請求の範囲】
【請求項１】
下面にキャスターを備え、作業者が乗ることが可能な足場本体と、
前記足場本体の側面に設けられ、建物ユニットの躯体フレームの側面に形成された孔に挿入されて前記孔の周縁部に係合されることにより、前記足場本体を前記建物ユニットに連結させる連結部と、
を備える作業用足場。
【請求項２】
前記孔は、前記建物ユニットの床大梁の側面に形成されている、請求項１に記載の作業用足場。
【請求項３】
前記連結部は、本体部と、付勢力により前記本体部の径方向外側に突出する係合爪を有する係合部とを備え、前記係合部は、前記孔に挿入される際に前記係合爪が付勢力に抗して前記本体部の径方向内側に変位し、前記孔を通過した後に前記係合爪が付勢力により元の位置に復帰することにより前記周縁部に係合される、請求項１又は２に記載の作業用足場。
【請求項４】
少なくとも一部分が前記足場本体内に収容されると共に水平に配置されかつ前記建物ユニットとは反対の側から前記連結部の前記本体部の内部に挿入可能な棒状部材を備え、前記棒状部材が前記建物ユニット側に前進して前記係合部を押すことにより前記係合爪を付勢力に抗して前記本体部の径方向内側に変位させて前記係合部と前記周縁部との係合状態を解除する係合解除部を更に備える、請求項３に記載の作業用足場。
【発明の詳細な説明】
【技術分野】
【０００１】
本発明は、作業用足場に関する。
【背景技術】
【０００２】
特許文献１には、全面足場架けが難しい建築現場において建物の側壁部分の工事を行うための走行移動足場が開示されている。建物に固定されたＨ鋼に腕金具が複数固定され、腕金具により建物に沿うようにガイドレールが支持されている。このガイドレールに係合するローラーと、ローラー支持金具とが足場ブロックの建枠に固定されており、ガイドレールに沿って足場ブロックを側壁の任意の場所に移動させることができるというものである。
【先行技術文献】
【特許文献】
【０００３】
【特許文献１】特開２０００−２３４４３８号公報
【発明の概要】
【発明が解決しようとする課題】
【０００４】
しかしながら、上記先行技術による場合、作業対象物である建物側にも足場を連結するための部材を設ける必要がある。
【０００５】
ところで、いわゆるユニット建物を構成する建物ユニットの組立においては、工場内において、建物ユニットの躯体を組み立てた後に、各建物ユニットに対して外壁、内壁、設備等の取り付け作業が行われる。ここで、上記先行技術による走行移動足場を建物ユニットに対して適用しようとした場合、作業対象の建物ユニットごとに足場を連結するための部材を設けることとなり、複雑な構成となる。
【０００６】
また、建物ユニットの組立作業においては、工場内の別の場所に建物ユニットを移動させる場合があるが、先行技術のようにガイドレールとローラーとの係合により足場を建物ユニットに連結した場合には、建物ユニットが移動可能な場合であっても、足場を建物ユニットに連結したまま移動させることは構造上困難である。
【０００７】
本発明は上記事実を考慮し、作業対象物である建物ユニット側に、作業用足場を連結するための追加の部材を要することなく、簡単な構成により建物ユニットに連結することができると共に、建物ユニットに連結された状態で移動可能な作業用足場を得ることを目的とする。
【課題を解決するための手段】
【０００８】
第１の態様に係る作業用足場は、下面にキャスターを備え、作業者が乗ることが可能な足場本体と、前記足場本体の側面に設けられ、建物ユニットの躯体フレームの側面に形成された孔に挿入されて前記孔の周縁部に係合されることにより、前記足場本体を前記建物ユニットに連結させる連結部と、を備える。
【０００９】
第１の態様に係る作業用足場によれば、連結部が、建物ユニットの躯体フレームの側面に形成された孔に挿入され、孔の周縁部に係合されることにより足場本体が建物ユニットに連結される。このため、配線等の他の用途のために建物ユニットに形成された孔を作業用足場の連結に利用することが可能であり、建物ユニット側に追加の部材を要することなく、簡単な構成により作業用足場を建物ユニットに連結することができる。
【００１０】
また、足場本体の下面にキャスターが取り付けられているため、作業用足場を移動させることが可能である。ここで、建物ユニットの躯体フレームの側面に形成された孔に連結部が係合されるため、作業用足場は建物ユニットの躯体フレームに支持されることとなり、ガイドレールとローラーとの係合により足場を建物ユニットに連結した場合等と比べて、作業用足場が建物ユニットに強固に連結される。このため、作業用足場が連結された状態で建物ユニットを移動させることが可能である。
【００１１】
第２の態様に係る作業用足場は、第１の態様に係る作業用足場において、前記孔は、前記建物ユニットの床大梁の側面に形成されている。
【００１２】
第２の態様に係る作業用足場によれば、連結部が挿入され、係合される建物ユニットの孔は、床大梁の側面に形成される。建物ユニットを構成する主要な躯体フレームであり強度の高い床大梁に形成された孔に連結部が係合されることにより、作業用足場が建物ユニットに強固に連結される。
【００１３】
第３の態様に係る作業用足場は、第１又は第２の態様に係る作業用足場において、前記連結部は、本体部と、付勢力により前記本体部の径方向外側に突出する係合爪を有する係合部とを備え、前記係合部は、前記孔に挿入される際に前記係合爪が付勢力に抗して前記本体部の径方向内側に変位し、前記孔を通過した後に前記係合爪が付勢力により元の位置に復帰することにより前記周縁部に係合される。
【００１４】
第３の態様に係る作業用足場によれば、連結部が付勢力により本体部の径方向外側に突出する係合爪を有する係合部を備える。建物ユニットの躯体フレームの側面に形成された孔に挿入される際に係合爪が付勢力に抗して本体部の径方向内側に変位し、孔を通過した後に係合爪が付勢力により元の位置に復帰することにより、係合部が孔の周縁部に係合される。このため、連結部を床大梁の孔に挿入する操作のみで作業用足場を建物ユニットに連結することが可能である。
【００１５】
第４の態様に係る作業用足場は、第３の態様に係る作業用足場において、少なくとも一部分が前記足場本体内に収容され水平に配置されると共に前記建物ユニットとは反対の側から前記連結部の前記本体部の内部に挿入可能な棒状部材を備え、前記棒状部材が前記建物ユニット側に前進して前記係合部を押すことにより前記係合爪を付勢力に抗して前記本体部の径方向内側に変位させて前記係合部と前記周縁部との係合状態を解除する係合解除部を更に備える。
【００１６】
第４の態様に係る作業用足場によれば、係合解除部を構成する棒状部材が、建物ユニットとは反対の側から連結部の内部に挿入可能に構成される。この棒状部材が建物ユニット側に前進して係合部が押されることにより、係合爪が付勢力に抗して本体部の径方向内側に変位されて、係合部と孔の周縁部との係合状態が解除される。このため、係合解除部を押す操作のみで係合部と孔の周縁部との係合状態を解除して作業用足場を建物ユニットから取り外すことができる。また、作業用足場を建物ユニットに対して容易に着脱することができるため、１つの建物ユニットでの作業が終わった後に、作業用足場を取り外し、他の建物ユニットに付け替える作業を容易に行うことが可能である。
【００１７】
また、建物ユニットとは反対の側から係合解除部を操作して前進させ、建物ユニットから作業用足場を取り外すことができる。このため、建物ユニットと作業用足場との連結部分に係合解除部を設ける場合と比べて、建物ユニットと作業用足場とを近接させた状態で連結することができるため、作業性が増すと共に、連結した状態で移動する際に連結部にかかる回転モーメントを抑制することができ、連結部の変形、破断等を抑制することができる。
【発明の効果】
【００１８】
以上説明したように、本発明に係る作業用足場は、作業対象物である建物ユニット側に、作業用足場を連結するための追加の部材を要することなく、簡単な構成により建物ユニットに連結することができると共に、建物ユニットに連結された状態で移動可能であるという優れた効果を有する。
【図面の簡単な説明】
【００１９】
【図１】本実施形態に係る作業用足場と、作業用足場が連結される建物ユニットとを示す斜視図である。
【図２】図１の２−２線に沿って切断した拡大断面図であると共に、本実施形態に係る作業用足場が建物ユニットに連結された状態の要部を示す拡大断面図である。
【図３】（Ａ）は足場本体の骨組を示す斜視図であり、（Ｂ）はその外観を示す斜視図である。
【図４】（Ａ）は、初期状態における連結部を示す縦断面図であり、（Ｂ）は、床大梁の孔に挿入される際の連結部を示す縦断面図であり、（Ｃ）は、係合解除状態の連結部を示す縦断面図である。
【図５】（Ａ）は、ロックレバーを示す斜視図であり、（Ｂ）は、一部分を切り欠いて示した連結部の本体部の拡大斜視図である。
【図６】（Ａ）は、初期状態から挿入時を経て係合状態に到るまでのロックレバーの動作を示す拡大断面図であり、（Ｂ）は、係合状態から係合解除状態に到るまでのロックレバー及び係合解除部の動作を示す拡大断面図である。
【図７】本実施形態の変形例に係る作業用足場を示す概略斜視図である。
【発明を実施するための形態】
【００２０】
以下、図１〜図７を用いて、本発明に係る作業用足場１０の実施形態について説明する。
【００２１】
＜全体構成＞
図１には、本実施形態に係る作業用足場１０及び作業用足場１０が連結される建物ユニット１２の斜視図が示されている。建物ユニット１２は、キャスター１４により移動可能に構成された架台１６の上に載置されている。
【００２２】
建物ユニット１２は、直方体の箱型ユニットであり、四隅に立設された４本の柱１８と、これらの柱１８の上端同士を連結しユニット天井を形成する天井パネル２０と、柱１８の下端同士を連結しユニット床を形成する床パネル２２と、によってその躯体が構成されている。
【００２３】
天井パネル２０は、柱１８の上端同士を連結する溝形鋼で構成された長短二種類の天井大梁２４、２６と、長辺側の天井大梁２４間に所定間隔で配置された複数の天井小梁２８と、天井大梁２４、２６及び天井小梁２８の下面側に図示しない野縁を介して取り付けられた天井面材３０と、を備えている。
【００２４】
床パネル２２は、天井パネル２０と同様に構成されており、柱１８の下端同士を連結する溝形鋼で構成された長短二種類の床大梁３２、３４と、長辺側の床大梁３２間に所定間隔で配置された、図示しない床小梁と、床大梁３２、３４及び床小梁の上面に敷設された床面材３６と、を備えている。また、「躯体フレーム」としての長辺側の床大梁３２の側面３８には、配線、配管等のための孔３８Ａが形成されている。本実施形態では、直径６５ｍｍの孔３８Ａが２つ設けられているが、直径は他の値であってもよく、孔３８Ａの数は３つ以上であってもよい。
【００２５】
柱１８は断面形状が方形の鋼管柱によって構成されており、上端及び下端には方形のプレートが被嵌されていると共に、他の建物ユニットと連結するための図示しない連結プレートを取り付け可能に構成されている。
【００２６】
上記躯体の組立作業の後に取り付けられる建物ユニット１２の構成部材として、本実施形態に係る建物ユニット１２には、内壁パネル４０及び間仕切り４２が取り付けられている。なお、建物ユニット１２には、階段やキッチン設備等、建物ユニット１２の用途に応じた構成部材が取り付けられる。
【００２７】
建物ユニット１２は、スペーサー４４を介して架台１６の上に載置されていると共に、架台１６に回動可能に取り付けられた牽引部４６を図示しない移動用車両に連結して牽引することにより、移動することができるように構成されている。
【００２８】
作業用足場１０は、作業者が乗ることが可能な足場本体４８と、足場本体４８の下面に取り付けられたキャスター５０と、足場本体４８の建物ユニット１２側の側面材５２に設けられ、建物ユニット１２の長辺側の床大梁３２の側面３８に形成された孔３８Ａに挿入されて孔３８Ａの周縁部３８Ｂに係合されることにより足場本体４８を建物ユニット１２に連結させる連結部５４と、連結部５４の建物ユニット１２への係合状態を解除するための係合解除部５６と、を含んで構成されている。足場本体４８は更に、作業者が上面材５８に上り下りするために建物ユニット１２とは反対の側に設けられた踏み段部６０を備えている。
【００２９】
＜本実施形態の要部構成＞
次に、本実施形態に係る作業用足場１０の要部の構成について詳細に説明する。
【００３０】
図２には、本実施形態に係る作業用足場１０が建物ユニット１２に連結された状態の要部の拡大断面図が示されている。図２は、図１の２−２線に沿って切断した拡大断面図である。
【００３１】
作業用足場１０が建物ユニット１２に連結された連結状態において、足場本体４８の上面材５８の上面の高さＨ１と、スペーサー４４を介して架台１６の上に載置された建物ユニット１２の床面材３６の上面の高さＨ２との差は、作業者が足場本体４８の上面材５８から建物ユニット１２側に移動しやすいように設定されている。本実施形態では、高さＨ１と高さＨ２とが略同一に設定されているが、作業者の移動が可能な程度の段差があってもよい。
【００３２】
足場本体４８は、金属製の骨組６１で躯体が構成されている。具体的には、図３（Ａ）に示されるように、足場本体４８の上面材５８を支持する上側のフレームが平面視で矩形状に形成されており、長辺側に配置された２本の鋼材６２が、端部及び中央部において鋼材６４を介して互いに連結されている。骨組６１の下側のフレームも上側のフレームと同様に平面視で矩形状に構成されているが、下側のフレームには更に、長手方向の鋼材６６が１本追加され、隣合う鋼材６２と端部及び中央部において鋼材６８を介して連結されている。これらの追加の鋼材６６、６８は、踏み段部６０を支持するためのものである。上側のフレームと、下側のフレームとは、鋼材７０を介して高さ方向に連結されている。骨組６１の下側のフレームを構成する鋼材６４及び踏み段部６０（図２、図３（Ｂ）参照）を構成する鋼材６８の底面には、キャスター５０が取り付けられている。
【００３３】
図３（Ｂ）に示されるように、骨組６１の上部及び側部が木製の上面材５８、側面材５２、７２、７６、７８、及び踏み段部６０の上面材７４、側面材７５により覆われている（図３（Ｂ）参照）。側面材５２には、連結部５４が貫通されて支持される支持孔５２Ａが形成されている。同様に、側面材７２には、係合解除部５６が貫通されて支持される支持孔７２Ａが形成されている。図３（Ｂ）に示される例では、足場本体４８の長手方向の両端が側面材７６、７８で覆われているが、必ずしも覆われていなくてもよい。また、足場本体４８の下側は木板で覆われていないが、下側のフレーム上に木板を取り付けて底面としてもよい。なお、図２、図３（Ａ）以外の図面においては、骨組６１の図示は省略されている。
【００３４】
図２に戻ると、連結部５４は、建物ユニット１２に連結された状態で建物ユニット１２に対向する側面材５２の支持孔５２Ａを貫通する円筒状の本体部８０と、連結前の初期状態及び連結完了後の係合状態において本体部８０の径方向外側に突出する係合爪８２を備えた「係合部」としてのロックレバー８４（図４、図５参照）と、を含んで構成されている。本体部８０は、図示しない固定部材によって側面材５２に固定されている。一例として、連結部５４の外周に沿って環状の固定部材が設けられ、この固定部材が側面材５２にビス等で固定されていてもよい。
【００３５】
図２に示されている連結状態においては、作業用足場１０の係合爪８２が建物ユニット１２の長辺側の床大梁３２の側面３８に形成された孔３８Ａの周縁部３８Ｂに係合されている。本体部８０には、その外周に沿って径方向外側に突出すると共に、係合状態において床大梁３２の側面３８の室外側に位置するように構成された環状のフランジ８６が設けられている（図５（Ｂ）参照）。これにより、連結部５４が係合状態における位置よりも更に作業用足場１０側に前進することが防止されている。
【００３６】
係合解除部５６は、足場本体４８をその短手方向に水平に貫通する棒状部材８８として構成されている。具体的には、棒状部材８８の建物ユニット１２側の一端には、円錐部分８８Ａが形成されており（図４（Ｃ）参照）、連結部５４の本体部８０の内部に建物ユニット１２とは反対の側から挿入されている。棒状部材８８の他端は、足場本体４８の建物ユニット１２とは反対側の側面材７２の支持孔７２Ａから外側に突出している。棒状部材８８は、側面材７２に固定されておらず、摺動可能に支持孔７２Ａに挿通されている。棒状部材８８の側面材７２の内側の位置にはフランジ９０が設けられている。これにより、棒状部材８８の側面材７２からの脱落が防止されている。
【００３７】
図４（Ａ）〜図４（Ｃ）には、作業用足場１０の連結部５４の長手方向に沿った縦断面図が示されている。連結部５４の本体部８０は、先端が円錐形状とされた円筒状に形成されており、その内部に一対のロックレバー８４が配置されている。
【００３８】
図５（Ａ）に示されるように、ロックレバー８４は、長手方向に切断した断面形状がＬ字状となるように形成されており、Ｌ字の長辺を構成するレバー本体９２と、レバー本体９２の長手方向の一端から垂直に延出され、Ｌ字の短辺を構成する延出部９４と、延出部９４の先端に設けられた係合爪８２と、を備えている。
【００３９】
レバー本体９２には、長手方向の他端に、延出部９４と略平行にバネ９６が設けられていると共に、バネ９６よりも中央寄りの側面に、Ｌ字状の断面を貫通する向きに一対のピン９８が形成されている。このピン９８は、連結部５４の本体部８０の内壁から径方向内側に突出されてロックレバー８４を挟むように配置されている一対の支持板１００に形成された貫通孔１００Ａ（図５（Ｂ）参照）に挿通されて、ロックレバー８４の回転中心となる。
【００４０】
係合爪８２は、延出部９４のバネ９６に対向する面が延長されて形成された係合面８２Ａと、係合面８２Ａの端部から、延出部９４の端部まで延在する傾斜面８２Ｂと、を含んで構成されている。
【００４１】
図４（Ａ）〜図４（Ｃ）に戻って、作業用足場１０が建物ユニット１２に連結される前の初期状態、連結される際の状態、及び係合状態が解除される係合解除状態の各状態における連結部の構成を説明する。
【００４２】
図４（Ａ）には、建物ユニット１２に連結される前の初期状態における連結部５４の長手方向に沿った縦断面図が示されている。初期状態においては、ロックレバー８４のレバー本体９２は本体部８０の長手方向に沿って延在し、延出部９４は本体部８０の径方向に沿って延在している。係合爪８２は、本体部８０に設けられた孔１０２（図５（Ｂ）参照）から、バネ９６の付勢力により本体部８０の径方向外側に突出している。
【００４３】
図４（Ｂ）には、作業用足場１０が矢印Ｅの方向に前進することにより、建物ユニット１２の床大梁３２の孔３８Ａに挿入される際の連結部５４の長手方向に沿った縦断面図が示されている。係合爪８２の傾斜面８２Ｂ（図５（Ａ）参照）が床大梁３２の孔３８Ａの周縁部３８Ｂに当接して押圧されることにより、ロックレバー８４の係合爪８２がバネ９６の付勢力に抗してピン９８回りに本体部８０の径方向内側（矢印Ｆ方向）に回転変位されている。連結部５４が矢印Ｅの方向に更に前進して床大梁３２の孔３８Ａを通過した後には、ロックレバー８４はバネ９６の付勢力により矢印Ｆと逆方向に回転し、初期状態と同じ位置（図４（Ａ）参照）に復帰する。これにより、係合爪８２が床大梁３２の３８Ａの周縁部３８Ｂに係合された係合状態となる。係合状態における床大梁３２の周縁部３８Ｂは、図４（Ａ）に二点鎖線により示されている。
【００４４】
図４（Ｃ）には、係合解除状態の連結部５４の長手方向に沿った縦断面図が示されている。係合解除部５６の棒状部材８８が建物ユニット１２側（矢印Ｇで示される方向）に前進して、棒状部材８８の先端の円錐部分８８Ａの外周面がロックレバー８４のレバー本体９２の端部をバネ９６の付勢力に抗して径方向外側に押圧している。これにより、ロックレバー８４は、係合状態の位置からピン９８を中心に矢印Ｆで示される方向に回転変位されており、係合爪８２がバネ９６の付勢力に抗して本体部８０の径方向内側に変位されて周縁部３８Ｂとの係合状態が解除されている。この状態において作業用足場１０を建物ユニット１２から離れる方向に移動させることにより、作業用足場１０を建物ユニット１２から取り外すことができる。なお、挿入の際（図４（Ｂ）参照）と係合解除状態（図４（Ｃ）参照）とでは、ロックレバー８４を回転させる外力が、挿入の際には床大梁３２の周縁部３８Ｂによる押圧であり、係合解除状態においては棒状部材８８による押圧である点が異なり、力点も異なるが、ロックレバー８４の回転変位はほぼ同じである。挿入時及び係合解除時におけるロックレバー８４の動作については、後述する。
【００４５】
（作用・効果）
次に、本実施形態に係る作業用足場１０の組立手順と作業用足場１０の用い方について説明し、その説明を通して本実施形態の作用及び効果について説明する。
【００４６】
まず、図３（Ａ）に示されるように、長尺状の鋼材６２、６４、６６、６８、７０を接合して、足場本体４８の躯体としての骨組６１が組み立てられる。また、骨組６１の下側のフレームを構成する鋼材６４及び踏み段部６０を構成する鋼材６８の底面には、キャスター５０が取り付けられる。
【００４７】
次に、骨組６１に木板を取り付けることにより、上面材５８、側面材５２、７２、７６、７８が形成される。側面材５２には、連結部５４を配置するための支持孔５２Ａが予め形成され、側面材７２には、棒状部材８８を貫通させるための支持孔７２Ａが予め形成される。踏み段部６０の上面及び側面にも、木板が取り付けられ、上面材７４、側面材７６が形成される。
【００４８】
次に、棒状部材８８が側面材５２の支持孔５２Ａから挿入され、足場本体４８を水平に貫通して支持孔７２Ａに挿入される。このとき、棒状部材８８は、足場本体４８に固定されず、摺動可能に支持孔７２Ａに挿通される。棒状部材８８が抜け落ちることを防ぐために、棒状部材８８の側面材７２の内側の位置にフランジ９０が予め設けられる。
【００４９】
次に、棒状部材８８の先端が連結部５４の本体部８０の内側に挿入され、連結部５４が側面材５２の支持孔５２Ａに挿入されて固定される。連結部５４の本体部８０には、孔１０２と、外周に沿って径方向外側に突出する環状のフランジ８６とが予め形成される。また、本体部８０の内部には、一対の支持板１００が予め形成されて、この支持板１００に支持される一対のロックレバー８４が配置される。このとき、バネ９６の付勢力により係合爪８２が本体部８０の孔１０２から突出されると共に、ロックレバー８４のレバー本体９２が本体部８０の内壁に略平行となるように、バネ９６の長さ及び弾性係数と、ピン９８の位置と、支持板１００の貫通孔１００Ａの位置とが設定される。
【００５０】
次に、作業用足場１０が建物ユニット１２に連結される。まず、図１に示されるように、作業用足場１０が建物ユニット１２の桁側の側面に対向して配置される。次いで、作業用足場１０が建物ユニット１２の側面に向かって押され、作業用足場１０の連結部５４が、建物ユニット１２の床大梁３２の側面３８に形成された孔３８Ａに挿入される。このとき、連結部５４のロックレバー８４が初期状態（図４（Ａ）参照）から挿入時の状態（図４（Ｂ）参照）を経て係合状態に到ることにより、作業用足場１０が建物ユニット１２に連結される。
【００５１】
図６（Ａ）を用いて、初期状態から、挿入時を経て係合状態に到るまでのロックレバー８４の動作を以下に補足説明する。
【００５２】
挿入前の初期状態において、ロックレバー８４は、実線で示される位置Ｐにある。床大梁３２の孔３８Ａの周縁部３８Ｂも同様に、実線で示される位置Ｐにある。
【００５３】
作業用足場１０が建物ユニット１２の側面に向かって押されることにより、連結部５４が建物ユニット１２側（矢印Ｘで示される方向）に前進して係合爪８２が孔３８Ａに差し掛かると、係合爪８２の傾斜面８２Ｂが周縁部３８Ｂに当接した状態で前進する。これにより、係合爪８２がバネ９６の付勢力に抗しながら本体部８０の径方向内側に押圧されて位置Ｐから位置Ｑに徐々に移動する。
【００５４】
このとき、ロックレバー８４は矢印Ｆで示される方向に回転変位される。ロックレバー８４の回転が妨げられることがないように、傾斜面８２Ｂの傾斜角度とピン９８の位置とが設定される。具体的には、傾斜面８２Ｂの上端が描く軌道の半径Ｒ１が、傾斜面の下端が描く軌道の半径Ｒ２よりも小さくなるように設定される。ロックレバー８４が位置Ｐから位置Ｑに移動するとき、バネ９６は収縮する（収縮した状態は図示しない）。
【００５５】
連結部５４が矢印Ｘの方向に更に前進して係合爪８２が孔３８Ａを通過すると、係合爪８２はバネ９６の付勢力により矢印Ｆと逆の方向に回転し、初期状態と同じ元の位置（位置Ｒで示される）に復帰する。このとき、係合爪８２の係合面８２Ａが床大梁３２の周縁部３８Ｂの室内側の面に当接し、周縁部３８Ｂに係合される。連結部５４のフランジ８６は、周縁部３８Ｂの室外側の面の近傍に位置するように設定されている。これにより、連結部５４が更に前進することを防止すると共に、係合爪８２の係合面８２Ａとフランジ８６との間に床大梁３２の周縁部３８Ｂが挟持され、係合をより強固にしている。
【００５６】
次に、必要な場合には、作業用足場１０が建物ユニット１２に連結された状態で架台１６の牽引部４６（図１参照）が移動用車両に連結されて、牽引される。作業用足場１０が建物ユニット１２に連結された状態で移動が必要になるのは、一例として、作業用足場１０を建物ユニット１２に連結した状態で工場の所定の場所で作業を行っている途中で、その所定の場所を他の建物ユニットのために明け渡す必要が生じた場合である。所定の場所を他の建物ユニットに明け渡す際に、建物ユニット１２に対する作業に作業用足場１０が引き続き必要である場合には、作業用足場１０が建物ユニット１２に連結された状態で移動される。
【００５７】
建物ユニット１２に対する作業に作業用足場１０が必要とされなくなった場合には、係合解除部５６を操作してロックレバー８４の係合状態が解除され、作業用足場１０が取り外される。
【００５８】
図６（Ｂ）を用いて、係合状態から、係合解除状態（図４（Ｃ）参照）に到るまでのロックレバー８４及び係合解除部５６の動作を以下に補足説明する。
【００５９】
係合状態において、ロックレバー８４は、実線で示される位置Ｐにある。このとき、係合解除部５６の棒状部材８８は、ロックレバー８４に当接しない位置Ｐにある。
【００６０】
棒状部材８８が建物ユニット１２側（矢印Ｘで示される方向）に前進し、円錐部分８８Ａがロックレバー８４のレバー本体９２の端部に当接した状態でバネ９６の付勢力に抗して更に前進すると、ロックレバー８４がピン９８を中心に矢印Ｆで示される方向に回転する。このとき、円錐部分８８Ａが位置Ｓまで前進するとロックレバー８４も対応する位置Ｓまで回転する。位置Ｓにおいて、係合爪８２はバネ９６の付勢力に抗して本体部８０の径方向内側に変位され、床大梁３２の周縁部３８Ｂとの係合状態が解除される。この状態で作業用足場１０を建物ユニット１２から離れる方向（矢印Ｙで示される方向）に移動させ、連結部５４を床大梁３２の孔３８Ａから引き出すことにより、作業用足場１０を建物ユニット１２から取り外すことができる。
【００６１】
このように、本実施形態では、連結部５４が、建物ユニット１２の床大梁３２の側面３８に形成された孔３８Ａに挿入され、孔３８Ａの周縁部３８Ｂに係合されることにより建物ユニット１２に連結される。このため、配線等の他の用途のために建物ユニット１２に形成された孔３８Ａを作業用足場１０の連結に利用することが可能であり、建物ユニット１２側に追加の部材を要することなく、簡単な構成により作業用足場１０を建物ユニット１２に連結することができる。
【００６２】
また、足場本体４８の下面にキャスター５０が取り付けられているため、作業用足場１０を移動させることが可能である。作業用足場１０が建物ユニット１２に連結された状態において、連結部５４は床大梁３２の側面３８に形成された孔３８Ａに係合され、建物ユニット１２の躯体フレームに支持される。このため、作業用足場１０が建物ユニット１２に強固に連結され、作業用足場１０が連結された状態で建物ユニット１２を移動させることが可能である。
【００６３】
また、本実施形態では、連結部５４が挿入され、係合される建物ユニット１２の孔３８Ａは、床大梁３２の側面３８に形成される。建物ユニット１２を構成する主要な躯体フレームであり強度の高い床大梁３２に形成された孔３８Ａに連結部５４が係合されることにより、作業用足場１０が建物ユニット１２に強固に連結される。
【００６４】
また、本実施形態では、建物ユニット１２の床大梁３２の側面３８に形成された孔３８Ａに挿入される際に係合爪８２がバネ９６の付勢力に抗して連結部５４の本体部８０の径方向内側に変位され、孔３８Ａを通過した後に係合爪８２がバネ９６の付勢力により元の位置に復帰することにより、ロックレバー８４が孔３８Ａの周縁部３８Ｂに係合される。このため、連結部５４を床大梁３２の孔３８Ａに挿入する操作のみで作業用足場１０を建物ユニット１２に連結することが可能である。
【００６５】
また、本実施形態では、係合解除部５６を構成する棒状部材８８が、建物ユニット１２とは反対の側から連結部５４の内部に挿入可能に構成される。この棒状部材８８が建物ユニット１２側に前進してロックレバー８４のレバー本体９２が押されることにより、係合爪８２がバネ９６の付勢力に抗して本体部８０の径方向内側に変位されて、ロックレバー８４と孔３８Ａの周縁部３８Ｂとの係合状態が解除される。このため、係合解除部５６を押す操作のみでロックレバー８４と孔３８Ａの周縁部３８Ｂとの係合状態を解除して作業用足場１０を建物ユニット１２から取り外すことができる。また、作業用足場１０を建物ユニット１２に対して容易に着脱することができるため、１つの建物ユニット１２での作業が終わった後に、作業用足場１０を取り外し、他の建物ユニット１２に付け替える作業を容易に行うことが可能である。
【００６６】
また、本実施形態では、建物ユニット１２とは反対の側から係合解除部５６を操作して前進させ、建物ユニット１２から作業用足場１０を取り外すことができる。このため、建物ユニット１２と作業用足場１０との連結部分に係合解除部５６を設ける場合と比べて、建物ユニット１２と作業用足場１０とを近接させた状態で連結することができる。これにより、作業性が増すと共に、連結した状態で移動する際に連結部５４にかかる回転モーメントを抑制することができ、連結部５４の変形、破断等を抑制することができる。
【００６７】
＜変形例＞
図７には、本実施形態の変形例に係る作業用足場１０の概略斜視図が示されている。連結部５４については、上述の本実施形態に係る連結部５４と同じ構成であるため、説明及び図示を省略する。変形例に係る構成では、係合解除部１１０の２つの棒状部材１１２同士が足場本体４８の内部で連結部材１１４によって連結されており、連結部材１１４の中央部分には、１つの操作部１１６が連結されている。操作部１１６は側面材７２の支持孔７２Ｂを貫通して外側に突出し、摺動可能に構成されている。操作部１１６の連結部材１１４への連結位置は、操作部１１６と足場本体４８の骨組６１の中央に配置された鋼材７０との干渉を避ける位置に設定されている。
【００６８】
上記変形例によれば、建物ユニット１２とは反対側の側面材７２から突出された操作部１１６は１つのみであり、この操作部１１６を押すことによって、連結部５４の建物ユニット１２への係合状態を解除することができる。このため、棒状部材１１２の間隔（床大梁３２の２つの孔３８Ａの間隔）が、１人の作業者が同時に操作できない程に離れている場合であっても、操作部１１６を矢印Ｘで示される方向に押すことにより、１人で係合解除の作業を行うことが可能である。
【００６９】
なお、本実施形態においては、係合解除部５６、１１０の棒状部材８８、又は操作部１１６を建物ユット１２側に押す操作によって係合爪８２と周縁部３８Ｂとの係合状態を解除する構成としたが、この構成に限定されるものではない。例えば、係合解除部５６、１１０の足場本体４８の側面材７２から突出する部分に把持部材を設け、把持部材を引く、上下に動かす、又は回転させる操作によって棒状部材８８、１１２が建物ユニット１２側に前進し、ロックレバー８４のレバー本体９２が押されて係合爪８２と周縁部３８Ｂとの係合状態が解除される構成としてもよい。
【００７０】
また、本実施形態においては、連結部５４及び棒状部材８８はそれぞれ２つずつ設けられているが、床大梁３２の側面３８に形成された孔３８Ａが３つ以上である場合には、これ対応して連結部５４及び棒状部材８８を３つ以上設けてもよい。
【符号の説明】
【００７１】
１０      作業用足場
１２      建物ユニット
３２      床大梁（躯体フレーム）
３８      床大梁の側面（躯体フレームの側面）
３８Ａ    孔
３８Ｂ    周縁部
４８      足場本体
５０      キャスター
５４      連結部
５６      係合解除部
８０      本体部
８２      係合爪
８４      ロックレバー（係合部）
８８      棒状部材
１１０    係合解除部
１１２    棒状部材
【図１】
2019157470.tif 000003
【図２】
2019157470.tif 000004
【図３】
2019157470.tif 000005
【図４】
2019157470.tif 000006
【図５】
2019157470.tif 000007
【図６】
2019157470.tif 000008
【図７】
2019157470.tif 000009